(57)【特許請求の範囲】
【請求項１】
無線基地局制御装置に接続された複数の無線基地局と、該無線基地局と無線回線で接続される複数の無線加入者装置とを含むワイヤレス・ローカル・ループ・システムに於いて、
前記無線基地局は、前記無線基地局制御装置との間の障害を検出する検出手段と、該検出手段により前記障害を検出した時に、報知情報に閉塞情報と共に待ち受け局として切替設定すべき周辺エリアの無線基地局の識別情報を付加して前記無線加入者装置に通知する手段とを備え、
前記無線加入者装置は、前記閉塞情報を受信した時に周辺エリアの無線基地局を待ち受け局に切替設定する手段を備えた
ことを特徴とするワイヤレス・ローカル・ループ・システム。
【請求項２】
無線基地局制御装置に接続された複数の無線基地局と、該無線基地局と無線回線で接続される複数の無線加入者装置とを含むワイヤレス・ローカル・ループ・システムに於いて、
前記無線基地局は、前記無線基地局制御装置との間の障害を検出する検出手段と、該検出手段により前記障害を検出した時に、報知情報に閉塞情報と共に待ち受け局として切替設定すべき周辺エリアの無線基地局の識別情報を付加して前記無線加入者装置に通知する手段とを備え、
前記無線加入者装置は、前記閉塞情報を受信した時に複数の前記周辺エリアの無線基地局の受信レベルを比較して、受信レベルの高い無線基地局を待ち受け局に切替設定する手段を備えた
ことを特徴とするワイヤレス・ローカル・ループ・システム。
【請求項３】
無線基地局制御装置に接続された複数の無線基地局と、該無線基地局と無線回線で接続される複数の無線加入者装置とを含むワイヤレス・ローカル・ループ・システムに於いて、
前記無線基地局は、前記無線基地局制御装置との間の障害を検出する検出手段と、該検出手段により前記障害を検出した時に、報知情報に閉塞情報を設定して前記無線加入者装置に通知する手段と、前記無線基地局制御装置からの障害復旧による周辺無線基地局状態変更通知に従ってカウントアップするカウンタと、該カウンタのカウント値を、周辺無線基地局状態情報として放置情報に付加して前記無線加入者端末に送出する手段とを備え、
前記無線加入者装置は、前記閉塞情報を受信した時に周辺エリアの無線基地局を待ち受け局に切替設定する手段と、前記周辺無線基地局状態情報の変化を検出して前記無線基地局の障害復旧を認識して、元の無線基地局を待ち受け局とするように切替設定する手段とを備えた
ことを特徴とするワイヤレス・ローカル・ループ・システム。
【請求項４】
前記無線基地局は、前記検出手段により障害を検出した後、該障害が復旧したことを検出した時、前記報知情報に、閉塞解除情報を付加して送出する手段を備え、前記無線加入者装置は、前記閉塞解除情報を受信識別した時に、元の無線基地局を待ち受け局とするように切替設定する手段を備えたことを特徴とする請求項１又は請求項２に記載のワイヤレス・ローカル・ループ・システム。
【請求項５】
前記無線基地局は、前記無線基地局制御装置からの障害復旧による周辺無線基地局状態変更通知に従ってカウントアップするカウンタと、該カウンタとカウント値を、周辺無線基地局状態情報として報知情報に付加して送出する手段とを備え、前記無線加入者装置は、前記周辺無線基地局状態情報の変化を検出して前記無線基地局の障害復旧を認識し、元の無線基地局を待ち受け局とするように切替設定する手段を備えたことを特徴とする請求項１又は請求項２に記載のワイヤレス・ローカル・ループ・システム。
【請求項６】
無線基地局制御装置に接続された複数の無線基地局と、該無線基地局と無線回線で接続される複数の無線加入者装置とを含むワイヤレス・ローカル・ループ・システムに於ける無線回線制御方法に於いて、
前記無線基地局制御装置と前記無線基地局との間の障害を検出した時に、前記無線基地局は、報知情報に閉塞情報を付加して送出し、該無線基地局を待ち受け局としている前記無線加入者装置は、次に待ち受け局とする周辺エリアの無線基地局の識別情報を、前記閉塞情報と共に、前記報知情報に付加して送出し、
該報知情報を受信した前記無線加入者装置は、前記周辺エリアの無線基地局の識別情報を基に、該無線基地局を待ち受け局とするように切替設定する過程を含む
ことを特徴とする無線回線制御方法。
【請求項７】
無線基地局制御装置に接続された複数の無線基地局と、該無線基地局と無線回線で接続される複数の無線加入者装置とを含むワイヤレス・ローカル・ループ・システムに於ける無線回線制御方法に於いて、
前記無線基地局制御装置と前記無線基地局との間の障害を検出した時に、前記無線基地局は、複数の周辺エリアの無線基地局の識別情報を、閉塞情報と共に、報知情報に付加して送出し、
該報知情報を受信した前記無線加入者装置は、前記複数の周辺エリアの無線基地局の受信レベルを測定し、該受信レベルが最大となる無線基地局を次の待ち受け局とするように切替設定する過程を含む
ことを特徴とする無線回線制御方法。
【請求項８】
無線基地局制御装置に接続された複数の無線基地局と、該無線基地局と無線回線で接続される複数の無線加入者装置とを含むワイヤレス・ローカル・ループ・システムに於ける無線回線制御方法に於いて、
前記無線基地局制御装置と前記無線基地局との間の障害を検出した時に、前記無線基地局は、報知情報に閉塞情報を付加して送出し、障害発生検出後に障害回復した無線基地局以外の健全な無線基地局に周辺基地局状態変更通知を送出し、前記無線基地局は、前記周辺基地局状態情報として前記報知情報に付加して送出し、障害復旧検出時に、閉塞解除情報を前記報知情報に付加して送出し、
該無線基地局を待ち受け局としている前記無線加入者装置は、前記閉塞情報を受信識別して、周辺エリアの閉塞情報を送出していない無線基地局を待ち受け局とするように切替設定する過程と、最初の待ち受け局としての無線基地局識別情報を記憶し、前記閉塞情報を受信識別した時に、周辺エリアの無線基地局に切替設定して、該無線基地局の周辺基地局状態情報としてのカウント値を保持し、障害復旧時の該カウント値の変更を比較検出して、記憶された前記最初の無線基地局の報知情報を受信し、閉塞解除情報を含む場合に、該無線基地局を待ち受け局として復帰させる過程を含む
ことを特徴とする無線回線制御方法。
【請求項９】
前記無線基地局は、障害検出時に、前記報知情報に前記閉塞情報を付加して送出し、障害復旧検出時に、前記報知情報に閉塞解除情報を付加して送出し、前記無線加入者装置は、最初の待ち受け局としての無線基地局識別情報を記憶し、前記閉塞情報の受信識別により、周辺エリアの無線基地局を待ち受け局に変更した後、前記最初の待ち受け局としての前記無線基地局からの報知情報の受信を所定周期で継続し、前記閉塞解除情報の受信識別により、記憶された前記無線基地局識別情報を基に、最初の無線基地局を待ち受け局とするように切替設定する過程を含むことを特徴とする請求項６又は請求項７に記載の無線回線制御方法。
【請求項１０】
前記無線基地局制御装置は、障害発生検出後に障害回復した無線基地局以外の健全な無線基地局に周辺基地局状態変更通知を送出し、前記無線基地局は、前記周辺基地局状態変更通知毎にカウントアップするカウンタを備え、該カウンタのカウント値を周辺基地局状態情報として前記報知情報に付加して送出し、且つ障害検出時に、前記報知情報に前記閉塞情報を付加して送出し、障害復旧検出時に、閉塞解除情報を前記報知情報に付加して送出し、前記無線加入者装置は、最初の待ち受け局としての無線基地局識別情報を記憶し、前記閉塞情報を受信識別した時に、周辺エリアの無線基地局を待ち受け局に切替設定して、該無線基地局の周辺基地局状態情報としてのカウント値を保持し、障害復旧時の該カウント値の変更を比較検出して、記憶された前記最初の無線基地局の報知情報を受信し、閉塞解除情報を含む場合に、該無線基地局を待ち受け局として復帰させる過程を含むことを特徴とする請求項６又は請求項７に記載の無線回線制御方法。
【発明の詳細な説明】
【０００１】
【発明の属する技術分野】
本発明は、加入者対応の無線加入者装置と、無線基地局制御装置と接続された無線基地局との間に無線回線を設定して通信を行うワイヤレス・ローカル・ループ・システム及び無線回線制御方法に関する。
ワイヤレス・ローカル・ループ（ＷＬＬ；Ｗireless Ｌocal  Ｌoop ）システムは、各地に散在する加入者と無線回線を介して無線基地局と接続することにより、交換機と加入者間にケーブルを敷設することなく、一般有線電話を含む各加入者間で通話を可能とするものである。このようなワイヤレス・ローカル・ループ・システム（以下「ＷＬＬ」の略語を用いる）の効率的な運用が要望されている。
【０００２】
【従来の技術】
図１１はＷＬＬシステムの説明図であり、ＬＥは交換機、ＷＡＣは無線基地局制御装置、ＯＭＣは保守監視装置、ＷＣＳ１，ＷＣＳ２，ＷＣＳ３は無線基地局、Ｌｉｎｋ−１，Ｌｉｎｋ−２，Ｌｉｎｋ−３は無線基地局制御装置ＷＡＣと無線基地局との間の回線（リンク）、ＷＳＵ１，ＷＳＵ２，ＷＳＵ３は加入者無線装置、Ａ１，Ａ２，Ａ３は無線基地局ＷＣＳ１，ＷＣＳ２，ＷＣＳ３のエリアを示す。
【０００３】
例えば、無線基地局ＷＣＳ１のエリアＡ１に、単一又は複数の無線加入者装置ＷＳＵ１が配置され、又無線基地局ＷＣＳ２のエリアＡ２に、単一又は複数の無線加入者装置ＷＳＵ２が配置され、又無線基地局ＷＣＳ３のエリアＡ３に、単一又は複数の無線加入者装置ＷＳＵ３が配置された場合を示す。又各無線加入者装置ＷＳＵ１，ＷＳＵ２，ＷＳＵ３は、無線基地局ＷＣＳ１，ＷＣＳ２，ＷＣＳ３側に或る程度指向性を有するアンテナを備えているが、周辺エリアの無線基地局との間でも無線通信可能の構成を有するものである。
【０００４】
又交換機ＬＥに接続された無線基地局制御装置ＷＡＣに、複数の無線基地局ＷＣＳ１，ＷＣＳ２，ＷＣＳ３が、有線又は無線の回線Ｌｉｎｋ−１，Ｌｉｎｋ−２，Ｌｉｎｋ−３を介して接続されている。この無線基地局装置ＷＡＣに接続される無線基地局は３個の場合を示しているが、更に多数とすることにより、無線加入者装置を配置できるエリアを拡大することが可能である。
【０００５】
又無線加入者装置ＷＳＵ１，ＷＳＵ２，ＷＳＵ３と無線基地局ＷＣＳ１，ＷＣＳ２，ＷＣＳ３との間の無線回線は、例えば、共通の制御チャネルと個別の通話チャネルとにより構成することができるものであり、携帯電話システム等に於ける発呼，着呼等の制御を制御チャネルを介して行い、通話チャネルを割当てることにより、通話を行うことができる。又制御チャネル上の報知情報によって無線基地局識別情報等を無線加入者装置に通知することができる。
【０００６】
【発明が解決しようとする課題】
従来例のＷＬＬシステムは、無線加入者装置は移動しないことを前提としているから、無線基地局のエリアＡ１，Ａ２，Ａ３内のそれぞれの無線加入者装置は、エリアＡ１，Ａ２，Ａ３対応の無線基地局ＷＣＳ１，ＷＣＳ２，ＷＣＳ３との間に無線回線が設定されることになる。そして、無線加入者装置ＷＳＵ１，ＷＳＵ２，ＷＳＵ３は、無線基地局ＷＣＳ１，ＷＣＳ２，ＷＣＳ３からの報知情報を受信して、無線基地局ＷＣＳ１，ＷＣＳ２，ＷＣＳ３を識別すると共に、受信レベル等よりその正常性を監視するものである。
【０００７】
例えば、無線基地局の障害発生により、送信電力の低下或いは送信断の状態となると、この無線基地局対応の無線加入者装置では、受信レベルの低下又は受信断の検出によって、無線基地局の障害発生と判定し、周辺のエリアを構成する無線基地局からの報知情報受信等の検出操作を行う。その場合、所定の受信レベルとなる無線基地局を、無線基地局識別情報等によって識別し、その無線基地局を待ち受け局に切替設定する。そして、発呼等の場合の無線回線設定要求を、待ち受け局とした無線基地局に送出することになる。それにより、電波の送出が不可能となった無線基地局の代わりに、周辺エリアの無線基地局との間で無線回線を設定して通話を行うことができる。
【０００８】
しかし、障害発生により送信電力の低下或いは送信断の状態となった無線基地局が障害復旧により電波送信が可能となった場合にも、この無線基地局対応の無線加入者装置は、既に他の無線基地局に待ち受けを切替えている為、待ち受け中の無線基地局の送信電力の低下或いは送信断の状態にならない限り、本来接続する無線基地局が復旧しても再切替処理を行わない。
又無線基地局制御装置ＷＡＣと無線基地局ＷＣＳ１，ＷＣＳ２，ＷＣＳ３との間の有線又は無線の回線Ｌｉｎｋ−１，Ｌｉｎｋ−２，Ｌｉｎｋ−３の断やインタフェース障害等の障害が発生した場合に、無線基地局ＷＣＳ１，ＷＣＳ２，ＷＣＳ３が電波送信断とすると、復旧時に同様な問題が発生する。しかし、継続して無線送受信が可能な状態ではある為、加入者装置と無線基地局装置との間で通信することはできるが、無線基地局制御装置ＷＡＣとの間で通信ができないので、結果的には、無線加入者装置による通信ができないことになる。このような状態に於いても、無線基地局側の障害発生を検出することができない。
【０００９】
即ち、従来例のＷＬＬシステムに於いては、無線加入者装置ＷＳＵ１，ＷＳＵ２，ＷＳＵ３は、受信レベルによって無線基地局ＷＣＳ１，ＷＣＳ２，ＷＣＳ３の正常性を検出し、受信レベル低下又は受信断の時に、他の無線基地局に接続替えすることが可能となる。しかし、無線基地局ＷＣＳ１，ＷＣＳ２，ＷＣＳ３が無線送受信可能の状態に於いて、回線Ｌｉｎｋ−１，Ｌｉｎｋ−２，Ｌｉｎｋ−３側の障害発生時には、無線基地局装置ＷＡＣ側との通信が不可能となり、無線加入者装置ＷＳＵ１，ＷＳＵ２，ＷＳＵ３は、報知情報等の受信レベルが正常であっても、通信が不可能の状態となり、その原因が不明となって、サービス低下となる問題がある。
本発明は、障害発生の発生，復旧を無線加入者装置に通知し、待ち受け局切替設定を可能とし、サービス低下を回避することを目的とする。
【００１０】
【課題を解決するための手段】
本発明のワイヤレス・ローカル・ループ（ＷＬＬ）システムは、無線基地局制御装置ＷＡＣに接続された複数の無線基地局ＷＣＳ１，ＷＣＳ２，ＷＣＳ３と、これらの無線基地局と無線回線で接続される複数の無線加入者装置ＷＳＵ１，ＷＳＵ２，ＷＳＵ３とを含むＷＬＬシステムであって、無線基地局ＷＣＳ１，ＷＣＳ２，ＷＣＳ３は、無線基地局制御装置ＷＡＣとの間の障害を検出する検出手段と、この検出手段により障害を検出した時に、報知情報に閉塞情報を設定して無線加入者装置ＷＳＵ１，ＷＳＵ２，ＷＳＵ３に通知する手段とを備え、無線加入者装置は、閉塞情報を受信した時に周辺エリアの無線基地局を待ち受け局に切替設定する手段を備えている。それにより、無線加入者装置ＷＳＵ１，ＷＳＵ２，ＷＳＵ３は、受信レベルの低下がない場合でも、閉塞情報を受信識別することにより、上位装置側の障害発生を認識できることになり、周辺エリアの無線基地局を待ち受け局とすることができる。
【００１１】
又（２）無線基地局ＷＣＳ１，ＷＣＳ２，ＷＣＳ３は、検出手段により障害を検出した時に、報知情報に、閉塞情報と共に、待ち受け局として切替設定すべき周辺エリアの無線基地局の識別情報を付加して送出する手段を備えることができる。それにより、無線加入者装置は、閉塞情報と共に通知された無線基地局識別情報を基に待ち受け局の切替設定が可能となる。
【００１２】
又（３）無線基地局ＷＣＳ１，ＷＣＳ２，ＷＣＳ３は、検出手段により障害を検出した時に、報知情報に、閉塞情報と共に、待ち受け局となる複数の周辺エリアの無線基地局の識別情報を付加して送出する手段を備え、無線加入者装置ＷＳＵ１，ＷＳＵ２，ＷＳＵ３は、複数の周辺エリアの無線基地局の受信レベルを比較して、受信レベルの高い無線基地局を待ち受け局に切替設定する手段を備え：無線加入者装置側で待ち受け局を選択させることができる。
【００１３】
又（４）無線基地局ＷＣＳ１，ＷＣＳ２，ＷＣＳ３は、検出手段により障害を検出し、その後障害復旧を検出した時、報知情報に、閉塞解除情報を付加して送出する手段を備え、無線加入者装置ＷＳＵ１，ＷＳＵ２，ＷＳＵ３は、閉塞解除情報を受信識別した時に、元の無線基地局を待ち受け局とするように切替設定する手段を備えることができる。
【００１４】
又（５）無線基地局ＷＣＳ１，ＷＣＳ２，ＷＣＳ３は、無線基地局制御装置ＷＡＣからの障害復旧による周辺無線基地局状態変更通知に従ってカウントアップするカウンタと、このカウンタとカウント値を、周辺無線基地局状態情報として報知情報に付加して送出する手段とを備え、無線加入者装置ＷＳＵ１，ＷＳＵ２，ＷＳＵ３は、周辺無線基地局状態情報の変化を検出して無線基地局の障害復旧を認識して、元の無線基地局を待ち受け局とするように切替設定する手段を備えることができる。
【００１５】
又本発明の無線回線制御方法は、（６）無線基地局制御装置ＷＡＣに接続された複数の無線基地局ＷＣＳ１，ＷＣＳ２，ＷＣＳ３と、この無線基地局と無線回線で接続される複数の無線加入者装置ＷＳＵ１，ＷＳＵ２，ＷＳＵ３とを含むＷＬＬシステムに於ける無線回線制御方法であって、無線基地局制御装置ＷＡＣと無線基地局ＷＣＳ１，ＷＣＳ２，ＷＣＳ３との間の障害を検出した時に、無線基地局は、報知情報に閉塞情報を付加して送出し、この無線基地局を待ち受け局としている無線加入者装置は、閉塞情報を受信識別して、周辺エリアの閉塞情報を送出していない無線基地局を待ち受け局とするように切替設定する過程を含むものである。
【００１６】
又（７）無線基地局ＷＣＳ１，ＷＣＳ２，ＷＣＳ３は、障害検出時に、この無線基地局を待ち受け局としていた無線加入者装置が、次に待ち受け局とする周辺エリアの無線基地局の識別情報を、閉塞情報と共に、報知情報に付加して送出し、この報知情報を受信した無線加入者装置は、周辺エリアの無線基地局の識別情報を基に、この無線基地局を待ち受け局とするように切替設定する過程を含むことができる。
【００１７】
又（８）無線基地局ＷＣＳ１，ＷＣＳ２，ＷＣＳ３は、障害検出時に、複数の周辺エリアの無線基地局の識別情報を、閉塞情報と共に、報知情報に付加して送出し、この報知情報を受信した無線加入者装置は、複数の周辺エリアの無線基地局の受信レベルを測定し、受信レベルが最大となる無線基地局を次の待ち受け局とするように切替設定する過程を含むことができる。
【００１８】
又（９）無線基地局ＷＣＳ１，ＷＣＳ２，ＷＣＳ３は、障害検出時に、報知情報に閉塞情報を付加して送出し、障害復旧検出時に、報知情報に閉塞解除情報を付加して送出し、無線加入者装置ＷＳＵ１，ＷＳＵ２，ＷＳＵ３は、最初の待ち受け局としての無線基地局識別情報を記憶し、閉塞情報の受信識別により、周辺エリアの無線基地局を待ち受け局に変更した後、最初の待ち受け局としての無線基地局からの報知情報の受信を所定周期で継続し、閉塞解除情報の受信識別により、記憶された前記無線基地局識別情報を基に、最初の無線基地局を待ち受け局とするように切替設定する過程を含むことができる。
【００１９】
又（１０）無線基地局制御装置ＷＡＣは、障害発生検出後に障害回復した無線基地局以外の健全な無線基地局に周辺基地局状態変更通知を送出し、無線基地局ＷＣＳ１，ＷＣＳ２，ＷＣＳ３は、周辺基地局状態変更通知毎にカウントアップするカウンタを備え、このカウンタのカウント値を周辺基地局状態情報として報知情報に付加して送出し、且つ障害検出時に、報知情報に閉塞情報を付加して送出し、障害復旧検出時に、閉塞解除情報を報知情報に付加して送出し、無線加入者装置ＷＳＵ１，ＷＳＵ２，ＷＳＵ３は、最初の待ち受け局としての無線基地局識別情報を記憶し、閉塞情報を受信識別した時に、周辺エリアの無線基地局を待ち受け局に切替設定して、この無線基地局の周辺基地局状態情報としてのカウント値を保持し、障害復旧時の該カウント値の変更を比較検出して、記憶された前記最初の無線基地局の報知情報を受信し、閉塞解除情報を含む場合に、無線基地局を待ち受け局として復帰させる過程を含むことができる。
【００２０】
【発明の実施の形態】
図１は本発明の第１の実施の形態の説明図であり、ＬＥは交換機、ＷＡＣは無線基地局制御装置、ＯＭＣは保守監視装置、ＷＣＳ１，ＷＣＳ２，ＷＣＳ３は無線基地局、Ｌｉｎｋ−１，Ｌｉｎｋ−２，Ｌｉｎｋ−３は無線基地局制御装置ＷＡＣと無線基地局との間の回線（リンク）、ＷＳＵ１，ＷＳＵ２，ＷＳＵ３は加入者対応の加入者無線装置、Ａ１，Ａ２，Ａ３は無線基地局ＷＣＳ１，ＷＣＳ２，ＷＣＳ３のエリア、ＤＢはデータベースを示す。
【００２１】
無線基地局ＷＣＳ１，ＷＣＳ２，ＷＣＳ３は、回線Ｌｉｎｋ−１，Ｌｉｎｋ−２，Ｌｉｎｋ−３を含む無線基地局制御装置ＷＡＣ側の障害検出手段を備えており、且つこの障害検出手段によって回線断等の障害発生を検出すると、報知情報に閉塞情報を付加して送信する機能を備えている。又無線基地局装置ＷＡＣ側に於いては、保守監視装置ＯＭＣによって各部の正常性等の保守，監視を行うものである。
【００２２】
又無線加入者装置ＷＳＵ１，ＷＳＵ２，ＷＳＵ３は、報知情報を受信識別する機能を備えており、その報知情報に含まれる閉塞情報を受信検出すると、待ち受け局としている無線基地局側に障害が発生したと判定し、周辺エリアの無線基地局からの報知情報を受信し、例えば、受信レベルの最も高い無線基地局を選択して、待ち受け局とする。それによって、受信レベルの低下が生じないような無線基地局側の障害発生によっても、他の無線基地局との間に無線回線を設定できるように切替えることができる。なお、無線基地局の障害による受信レベル断等の場合、従来例と同様に、無線基地局の障害発生であることを無線加入者装置は判断できるから、周辺エリアの無線基地局を待ち受け局とするように切替設定することができる。そして、発呼，着呼の場合、待ち受け局との間に無線回線による通話チャネルを設定することができる。
【００２３】
又無線基地局制御装置ＷＡＣのデータベースＤＢは、無線基地局ＷＣＳ１，ＷＣＳ２，ＷＣＳ３配下の無線加入者装置ＷＳＵ１，ＷＳＵ２，ＷＳＵ３及び無線基地局ＷＣＳ１，ＷＣＳ２，ＷＣＳ３の状態情報を格納するもので、交換機ＬＥからの着信時に、データベースＤＢを参照して、その呼を接続すべき無線加入者装置を配下としている無線基地局を選択することができる。なお、交換機ＬＥからの着信時に、無線基地局制御装置ＷＡＣに接続された総ての無線基地局に対して、着信無線加入者装置に対する一斉呼出要求を送出することも可能である。その場合は、データベースＤＢには、無線基地局と無線加入者装置との接続関係を格納しなくても、着信制御が可能となる。
【００２４】
図２は無線基地局の要部説明図であり、１１はアンテナ、１２は無線送受信部、１３は送受信制御部、１４は回線インタフェース部、１５はメモリ、１６は障害検出部を示す。無線基地局は、回線インタフェース部１４を介して無線基地局制御装置ＷＡＣ（図１参照）と接続され、無線加入者装置ＷＳＵ１，ＷＳＵ２，ＷＳＵ３とは、無線送受信部１２を介して無線回線により接続される。
【００２５】
又障害検出部１６は、回線インタフェース部１４を介して接続される無線基地局制御装置ＷＡＣ側の障害を検出するもので、回線Ｌｉｎｋ−１，Ｌｉｎｋ−２，Ｌｉｎｋ−３の断線等の障害を検出した時の検出信号によって、送受信制御部１３は、無線送受信部１２から送信する制御チャネル上の報知情報に閉塞情報を付加する。又メモリ１５は、無線回線を介して接続される無線加入者装置の識別情報や認証情報等を格納することができる。
【００２６】
例えば、図１の回線Ｌｉｎｋ−１が×印で示すように回線断等の障害発生となると、前述のように、無線基地局ＷＣＳ１の障害検出部１６によりこの障害を検出し、送受信制御部１３の制御により、閉塞情報を報知情報に付加して送信し、無線基地局ＷＣＳ１に待ち受け状態の無線加入者装置ＷＳＵ１に対して、無線基地局ＷＣＳ１が使用不可能であることを通知する。
【００２７】
無線加入者装置ＷＳＵ１は、待ち受け局の無線基地局ＷＣＳ１からの閉塞情報を受信識別すると、エリアＡ１の周辺のエリアＡ２，Ａ３を構成する無線基地局ＷＣＳ２，ＷＣＳ３の報知情報の受信識別を行い、受信レベルが最も高い例えば無線基地局ＷＣＳ２の識別情報を基に、この無線基地局ＷＣＳ２を待ち受け局に切替設定する。この時、単に待ち受け無線基地局を変更しただけの場合は、交換機ＬＥからの着信時に、無線基地局制御装置ＷＡＣに接続された無線基地局の総てに無線加入者装置ＷＳＵ１の呼出し要求を行うことになる。
【００２８】
又無線加入者装置ＷＳＵ１は、無線基地局ＷＣＳ２に対して待ち受け状態であることを通知する場合、無線基地局ＷＣＳ２は、無線加入者装置ＷＳＵ２以外に新たに無線加入者装置ＷＳＵ１が配下となったことを識別し、メモリ１５にその情報を追加し、又無線基地局制御装置ＷＡＣに通知し、データベースＤＢの更新を行わせることができる。その場合は、無線加入者装置ＷＳＵ１に対する着信は、無線基地局制御装置ＷＡＣから無線基地局ＷＣＳ２を介して制御チャネルによる呼出しを行うことができる。
【００２９】
図３は本発明の第２の実施の形態の説明図であり、図１と同一符号は同一部分を示す。この実施の形態は、例えば、回線Ｌｉｎｋ−１が×印で示すように断線障害となった時、図１に示す場合と同様に、無線基地局ＷＣＳ１は、報知情報に閉塞情報を付加すると共に、周辺エリアの例えば無線基地局ＷＣＳ２の識別情報を、周辺ＷＣＳ情報として示すように、付加して送信する。
【００３０】
それにより、無線加入者装置ＷＳＵ１は、閉塞情報の受信識別により、待ち受け局としていた無線基地局ＷＣＳ１が使用不可能であることを識別し、又周辺ＷＣＳ情報に従って、無線基地局ＷＣＳ２を待ち受け局に切替設定する。この周辺ＷＣＳ情報は、システム立上時に、無線基地局のメモリ１５（図２参照）に設定するか、又は、無線基地局制御装置ＷＡＣのデータベースＤＢからダウンロードすることができる。そして、メモリ１５からこの周辺ＷＣＳ情報を読出して、閉塞情報と共に送信することになる。又システム拡張時等の変更時に於いて、無線基地局制御装置ＷＡＣからメモリ１５に格納する周辺ＷＣＳ情報の更新制御を行うこともできる。
【００３１】
無線基地局のメモリ１５に周辺ＷＣＳ情報を格納しない場合に、無線基地局制御装置ＷＡＣのデータベースＤＢに格納することができる。この場合は、点線で示す制御信号線を、回線Ｌｉｎｋ−１〜Ｌｉｎｋ−３とは別個に設けることにより、回線Ｌｉｎｋ−１〜Ｌｉｎｋ−３の断線等の障害発生時に、データベースＤＢに格納された周辺ＷＣＳ情報を読出して、制御信号線を介して無線基地局に転送し、閉塞情報と共に周辺ＷＣＳ情報を送信することができる。
【００３２】
図４はデータベースの格納情報の説明図であり、無線基地局ＷＣＳ１，ＷＣＳ２，ＷＣＳ３，・・・と、無線基地局識別情報ＷＣＳ−ＩＤと、障害情報の有無（障害中，空き）と、周辺ＷＣＳ情報とが対応して格納され、周辺ＷＣＳ情報は、無線基地局識別情報ＷＣＳ−ＩＤとして格納されている。例えば、無線基地局ＷＣＳ１の周辺ＷＣＳ情報は、ＷＣＳ−ＩＤ＝０２であるから、無線加入者装置ＷＳＵ１は、閉塞情報と周辺ＷＣＳ情報とにより、無線基地局ＷＣＳ１から無線基地局ＷＣＳ２に待ち受け局の切替設定を行うことになる。
【００３３】
又無線基地局ＷＣＳ２の周辺ＷＣＳ情報は、ＷＣＳ−ＩＤ＝０３で、無線基地局ＷＣＳ３を示している。従って、回線断等の障害発生検出により、無線基地局ＷＣＳ２から閉塞情報を送出する時に、周辺ＷＣＳ情報のＷＣＳ−ＩＤ＝０３を送出するから、無線加入者装置ＷＳＵ２は、無線基地局ＷＣＳ３を待ち受け局に切替設定する。又無線基地局のメモリ１５に格納する場合の周辺ＷＣＳ情報は、自局の周辺ＷＣＳ情報のみで良いから、例えば、無線基地局ＷＣＳ２に於いては、周辺ＷＣＳ情報として、無線基地局識別情報のＷＣＳ−ＩＤ＝０３となる。
【００３４】
図５は本発明の第３の実施の形態の説明図であり、図１と同一符号は同一部分を示し、図３に示す実施の形態と同様に、無線基地局と無線基地局制御装置との間の回線障害時に、無線基地局から閉塞情報と共に周辺ＷＣＳ情報を送出するものである。その場合、周辺ＷＣＳ情報を複数とすることができるものであり、何れの周辺ＷＣＳ情報を選択するかは、無線加入者装置に於ける受信レベルによって選定する。
【００３５】
この場合の無線基地局制御装置ＷＡＣのデータベースＤＢには、例えば、図６に示す情報が格納される。即ち、図４に示す場合と同様であるが、周辺ＷＣＳ情報は、無線基地局ＷＣＳ１対応には単一のＷＣＳ−ＩＤ＝０２、無線基地局ＷＣＳ２対応には、複数のＷＣＳ−ＩＤ＝０１，０３、無線基地局ＷＣＳ３対応には、複数のＷＣＳ−ＩＤ＝０２，０４が格納されている。なお、ＷＣＳ−ＩＤ＝０４に関連する構成は図示を省略している。又更に多数の周辺ＷＣＳ情報を格納する構成とすることもできる。
【００３６】
従って、図５に於ける回線Ｌｉｎｋ−２の×印で示す点で断線等の障害が発生した場合、無線基地局ＷＣＳ２は、報知情報により閉塞情報と周辺ＷＣＳ情報とを送出する。この場合も、点線で示す制御信号線が設けられている時は、データベースＤＢからの周辺ＷＣＳ情報を、制御信号線を介して無線基地局ＷＣＳ２に転送することにより、ＷＣＳ−ＩＤ＝０１，０３として、周辺ＷＣＳ情報を送出することができる。又無線基地局のメモリ１５（図２参照）に周辺ＷＣＳ情報を格納している場合は、制御信号線がなくても、閉塞情報と共に周辺ＷＣＳ情報を送出することができる。
【００３７】
無線基地局ＷＣＳ２からの複数の周辺ＷＣＳ情報ＷＣＳ−ＩＤ＝０１，０３を閉塞情報と共に受信検出した例えば無線加入者装置ＷＳＵ２は、無線基地局ＷＣＳ１，ＷＣＳ３の受信レベルを比較し、例えば、無線基地局ＷＣＳ３の受信レベルが高い場合、この無線基地局ＷＣＳ３を待ち受け局とする。この場合も、無線基地局ＷＣＳ３に対して、無線加入者装置ＷＳＵ２が待ち受け状態となっていることを通知し、それを基に、無線基地局ＷＣＳ３のメモリ１５（図２参照）又は無線基地局制御装置ＷＡＣのデータベースＤＢを更新し、交換機ＬＥを介した着信時に、無線加入者装置ＷＳＵ２の呼出しを行うことかできる。
【００３８】
図７は本発明の第４の実施の形態の説明図であり、図１と同一符号は同一部分を示す。この実施の形態は、例えば、回線Ｌｉｎｋ−１が×印で示すように断線した後、それを復旧させた場合の処理を示す。システム立上時や電源投入時に、無線加入者装置ＷＳＵ１，ＷＳＵ２，ＷＳＵ３は、それぞれが接続すべき最初の無線基地局ＷＣＳ１，ＷＣＳ２，ＷＣＳ３の識別情報を記憶する。
【００３９】
そして、回線Ｌｉｎｋ−１の断線等の障害が発生した時、無線基地局ＷＣＳ１は、閉塞情報を送出する。無線加入者装置ＷＳＵ１は、閉塞情報の受信識別により、無線基地局ＷＣＳ１が使用できないと判定し、前述の各実施の形態に従って、周辺エリアの無線基地局を待ち受け局に切替設定する。この場合、例えば、ＷＣＳ１→ＷＣＳ２として示すように、無線基地局ＷＣＳ２に対して待ち受けとする。そして、記憶されている最初の無線基地局ＷＣＳ１からの報知情報を所定周期で監視する。
【００４０】
回線Ｌｉｎｋ−１の断線等の障害を修復させると、無線基地局ＷＣＳ１は、無線基地局制御装置ＷＡＣとの間の通信が可能となるから、閉塞解除情報を送出する。閉塞情報は、前述のように、報知情報の一部の領域を用いるものであり、例えば、障害フラグ等として、フラグ設定時は閉塞情報とし、フラグ未設定時は閉塞解除情報とすることができる。即ち、閉塞情報領域により、障害中と障害無しとを通知することができる。
【００４１】
無線加入者装置ＷＳＵ１は、無線基地局ＷＣＳ２に対して待ち受け状態としているが、前述のように、所定の周期で無線基地局ＷＣＳ１からの報知情報を受信する。そして、報知情報に閉塞解除情報が付加されていることを受信識別すると、ＷＣＳ２→ＷＣＳ１として示すように、閉塞解除となった無線基地局ＷＣＳ１を待ち受け局に切替設定する。即ち、無線基地局ＷＣＳ１の配下の無線加入者装置ＷＳＵ１は、最初の状態に戻ることができる。
【００４２】
図８は本発明の第５の実施の形態の説明図であり、図１と同一符号は同一部分を示す。無線基地局ＷＣＳ１，ＷＣＳ２，ＷＣＳ３は、それぞれ周辺ＷＣＳ情報のカウンタを備えている。このカウンタは、例えば、図９に示すように、無線基地局制御装置ＷＡＣからの周辺ＷＣＳ状態変更通知毎にカウントアップする。図示の場合、カウント値は“００”→“０１”→“１０”→“１１”となる場合を示している。このカウント値を、報知情報の周辺ＷＣＳ状態情報として待ち受け状態の無線加入者装置に送出する。
【００４３】
無線加入者装置ＷＳＵ１，ＷＳＵ２，ＷＳＵ３は、電源投入により、最初の待ち受け局の無線基地局ＷＣＳ１，ＷＣＳ２，ＷＣＳ３の識別情報（ＩＤ）を記憶する。そして、例えば、回線Ｌｉｎｋ−１，Ｌｉｎｋ−３が×印で示すように断線した場合、無線基地局ＷＣＳ１，ＷＣＳ３は、それぞれの報知情報に閉塞情報を付加して送出する。又無線基地局制御装置ＷＡＣは、無線基地局ＷＣＳ１，ＷＣＳ３との間の障害を検出識別し、データベースＤＢに障害情報を格納する。
【００４４】
この閉塞情報を受信識別した無線加入者装置ＷＳＵ１，ＷＳＵ３は、例えば、周辺エリアＡ２の無線基地局ＷＣＳ２を待ち受け局とするように切替設定する。この時、無線基地局ＷＣＳ２は、報知情報の周辺ＷＣＳ状態情報として、カウンタのカウント値を通知しており、この無線基地局ＷＣＳ２を待ち受け局とした無線加入者装置ＷＳＵ１，ＷＳＵ３はこのカウント値を保持する。この場合の無線加入者装置ＷＳＵ１，ＷＳＵ３は、無線基地局ＷＣＳ２に対してのみ待ち受け状態を継続する。
【００４５】
そして、例えば、回線Ｌｉｎｋ−１が復旧した場合、無線基地局制御装置ＷＡＣは、保守監視装置ＯＭＣ等によって、障害状態であった無線基地局ＷＣＳ１との間の通信が回復したことを識別できるから、健全である無線基地局ＷＣＳ２に、周辺ＷＣＳ状態変化の通知を行う。それによって、無線基地局ＷＣＳ２は、図９に示すように、カウンタをカウントアップする。例えば、最初のカウント値が“００”であるとすると、このカウント値は、無線加入者装置ＷＳＵ１，ＷＳＵ３にも保持される。そして、今回のカウントアップにより“０１”となる。このカウント値を周辺ＷＣＳ状態情報として送出する。
【００４６】
無線加入者装置ＷＳＵ１，ＷＳＵ３は、この周辺ＷＣＳ状態情報を受信識別し、待ち受け無線基地局を切替えた後に保持している周辺ＷＣＳ状態情報とを比較する。この場合、周辺ＷＣＳ状態情報、即ち、カウンタのカウント値が“００”から“０１”に変化したこと検出すると、電源立上時に保持していた無線基地局識別情報（ＩＤ）に従って、元に戻るように待ち受け無線基地局の切替えを行う。この時、無線加入者装置ＷＳＵ１は、無線基地局ＷＣＳ１が復旧したことにより、閉塞情報が送出されていない状態となり、従って、この無線基地局ＷＣＳ１を最初の状態に戻して待ち受け局とするように切替設定する。
【００４７】
しかし、無線加入者装置ＷＳＵ３は、最初の無線基地局ＷＣＳ３を待ち受け局とするように切替えるが、この無線基地局ＷＣＳ３からは閉塞情報が継続して送出されているので、再び無線基地局ＷＣＳ２を待ち受け局とし、その時の周辺ＷＣＳ状態情報、即ち、カウント値の“０１”を保持する。そして、無線加入者装置ＷＳＵ３は、このカウント値が“１０”に変化すると、再度、最初の無線基地局ＷＣＳ３を待ち受け局とするように切替え、閉塞情報が継続して送出されているか否かを判定し、閉塞情報が送出されていない場合は、無線基地局ＷＣＳ３を待ち受け局とし、閉塞情報が継続して送出されている場合、再び、無線基地局ＷＣＳ２を待ち受け局とする。
【００４８】
図１０は本発明の第６の実施の形態の説明図であり、図１と同一符号は同一部分を示す。図８に示す実施の形態と同様に、無線加入者装置ＷＳＵ１，ＷＳＵ２，ＷＳＵ３は、電源投入により、待ち受けを行う無線基地局ＷＣＳ１，ＷＣＳ２，ＷＣＳ３の識別情報（ＩＤ）を記憶する。
【００４９】
そして、例えば、回線Ｌｉｎｋ−１，Ｌｉｎｋ−３が×印で示すように断線等の障害発生の場合、無線基地局ＷＣＳ１，ＷＣＳ３は、それぞれの報知情報に閉塞情報を付加して送出する。又無線基地局制御装置ＷＡＣは、無線基地局ＷＣＳ１，ＷＣＳ３との間の障害を検出識別し、データベースＤＢに障害情報を格納する。又閉塞情報を受信識別した無線加入者装置ＷＳＵ１，ＷＳＵ３は、例えば、周辺エリアＡ２の無線基地局ＷＣＳ２を待ち受け局とするように切替える。
【００５０】
そして、回線Ｌｉｎｋ−１が復旧すると、無線基地局制御装置ＷＡＣは無線基地局ＷＣＳ１との間の障害が復旧したことを識別し、データベースＤＢを参照して、健全な無線基地局ＷＣＳ２に、無線基地局ＷＣＳ１の復旧を通知し、且つデータベースＤＢを更新する。無線基地局ＷＣＳ２は、無線基地局ＷＣＳ１の復旧を、報知情報の周辺ＷＣＳ状態情報として送出する。
【００５１】
それにより、無線加入者装置ＷＳＵ１は、無線基地局ＷＣＳ１の復旧を認識して、待ち受け局を無線基地局ＷＣＳ２から無線基地局ＷＣＳ１に切替える。従って、この場合の無線加入者装置ＷＳＵ１は、ＷＣＳ１→ＷＣＳ２→ＷＣＳ１として示すように、待ち受け局の切替えを行うことになる。又無線加入者装置ＷＳＵ３は、無線基地局ＷＣＳ３の復旧が通知されないから、無線基地局ＷＣＳ２を待ち受け局とした状態を継続する。
【００５２】
又無線基地局ＷＣＳ１，ＷＣＳ２，ＷＣＳ３からの閉塞情報を送出した時に、一つの無線基地局配下の無線加入者装置が、総て、周辺エリアの無線基地局の配下となるように、切替設定されることになり、無線基地局の収容可能数を超えることがある。このような場合、無線基地局又は無線基地局制御装置ＷＡＣに於いて、収容可能数を超えた無線加入者装置を、更に他の無線基地局の配下となるように、個別に指定して、待ち受け局の変更要求を行うことも可能である。
【００５３】
又無線基地局のテスト時や工事中の場合、自動的に或いはマニュアル設定によって、報知情報に閉塞情報を付加して送出することができる。従って、システム増設時等に於いて、円滑な制御が可能となる。
【００５４】
【発明の効果】
以上説明したように、本発明は、無線基地局ＷＣＳ１，ＷＣＳ２，ＷＣＳ３の無線送受信が正常に行われる場合でも、その上位装置側との間の通信が不可能となる回線断等の障害発生時に、報知情報に閉塞情報を付加して送出することにより、その無線基地局配下の無線加入者装置に待ち受けが不可能となったことを通知し、健全な周辺エリアの無線基地局を待ち受け局に切替設定させることができる。従って、無線加入者装置は、無線回線を待ち受け局との間に設定して通話が可能となるから、ＷＬＬシステムとしての信頼性の向上を図り、通信不可能となるようなサービス低下を回避できる利点がある。
【００５５】
又障害復旧時に、無線基地局から障害解除情報を送出することにより、この障害解除情報を受信識別した無線加入者装置は、元の待ち受け局に切替設定することができるから、障害復旧時には、自動的に元の状態に復帰させることができる利点がある。
【図面の簡単な説明】
【図１】本発明の第１の実施の形態の説明図である。
【図２】無線基地局の要部説明図である。
【図３】本発明の第２の実施の形態の説明図である。
【図４】データベースの格納情報の説明図である。
【図５】本発明の第３の実施の形態の説明図である。
【図６】データベースの格納情報の説明図である。
【図７】本発明の第４の実施の形態の説明図である。
【図８】本発明の第５の実施の形態の説明図である。
【図９】本発明の第５の実施の形態のカウンタ制御の説明図である。
【図１０】本発明の第６の実施の形態の説明図である。
【図１１】ＷＬＬシステムの説明図である。
【符号の説明】
ＬＥ  交換機
ＷＡＣ  無線基地局制御装置
ＤＢ  データベース
ＯＭＣ  保守監視装置
Ｌｉｎｋ−１〜Ｌｉｎｋ−３  回線
ＷＣＳ１〜ＷＣＳ３  無線基地局
ＷＳＵ１〜ＷＳＵ３  無線加入者装置
【図１】
0004120903.tif 000002
【図２】
0004120903.tif 000003
【図３】
0004120903.tif 000004
【図４】
0004120903.tif 000005
【図５】
0004120903.tif 000006
【図６】
0004120903.tif 000007
【図７】
0004120903.tif 000008
【図８】
0004120903.tif 000009
【図９】
0004120903.tif 000010
【図１０】
0004120903.tif 000011
【図１１】
0004120903.tif 000012